(57)【要約】      （修正有）【課題】両面テープの貼り跡が目立ち難く、ブロッキング現象による金属蒸着膜から剥がれた一部による自動販売機の前面板の汚れを防止できる自動販売機用広告表示シートを提供する。【解決手段】透明な合成樹脂製で裏面に広告が印刷された基材層と、透明な合成樹脂製で裏面に金属蒸着膜が形成された蒸着ベース層と、裏面に接着剤層が設けられる接着剤ベース層とを順次積層する。【選択図】図２
0003169434.tif 000002
【実用新案登録請求の範囲】
【請求項１】
自動販売機の前面板に貼り替え自在に貼着された自動販売機用広告シートにおいて、
透明な合成樹脂からなり、裏面に広告が印刷された基材層と、
透明な合成樹脂からなり、前記基材層の裏面に表面を重ね合わせて積層され、かつ裏面に金属蒸着膜が形成された蒸着ベース層と、
該蒸着ベース層の裏面に表面を重ね合わせて積層され、かつ裏面に接着剤層が設けられる接着剤ベース層
とを備えたことを特徴とする自動販売機用広告表示シート。
【請求項２】
前記金属蒸着膜は、アルミニウム蒸着膜である請求項１に記載の自動販売機用広告表示シート。
【請求項３】
前記基材層の表面には、マスキングフィルムが貼着された請求項１または請求項２に記載の自動販売機用広告表示シート。
【請求項４】
前記基材層はポリカーボネートシートからなり、前記蒸着ベース層および接着剤ベース層は、それぞれポリエチレンテレフタレートフィルムからなる請求項１〜請求項３のうち、何れか１項に記載の自動販売機用広告表示シート。
【請求項５】
前記接着剤層は、出荷前または現場で前記接着剤ベース層の裏面に貼着される両面テープである請求項１〜請求項４のうち、何れか１項に記載の自動販売機用広告表示シート。
【考案の詳細な説明】
【技術分野】
【０００１】
本考案は、自動販売機用広告表示シート、詳しくは例えばタバコ、清涼飲料水などの自動販売機の前面板に、商品の変更等に伴って容易に貼り替えられる自動販売機用広告表示シートに関する。
【背景技術】
【０００２】
自動販売機は、前面板の中央部から上部にかけて複数種の商品見本と商品選択ボタンとが配列された展示棚が配置され、前面板の中央部の右側にコイン投入口と紙幣投入口とが設けられ、このコイン投入口の直下には釣り銭返却口が形成され、前面板の下端部には商品取出し口が形成されている。また、展示棚の領域を除く前面板の中央部から下部にかけては、販売される商品の情報や期間限定のキャンペーン、イベント企画、企業イメージなどを表示した広告表示シートが貼り替え自在に貼着されている。
【０００３】
広告表示シートには、蛍光管やＬＥＤなどのバックライト、自動販売機に内蔵されたヒータおよび直射日光などに由来した熱や風雨に晒されることから、耐熱性、耐候性などが必要とされる。これらを兼ね備えた広告表示シートとして、透明な合成樹脂からなり、裏面に商品広告が印刷された基材層と、透明な合成樹脂からなり、基材層の裏面に表面を重ね合わせて積層され、裏面にアルミニウムなどの金属蒸着膜が形成された蒸着ベース層と、蒸着ベース層の裏面に貼着され、広告表示シートを自動販売機の前面板に貼着する両面テープとを備えたものが、市場に出回っている。
【０００４】
ここで、上記のアルミニウム蒸着膜は、広告表示シートを展示棚の一部まで延長して貼着した場合に問題となる、展示棚の照明が広告表示シートの一部を透過して外へ漏れる光漏れを防止するとともに、太陽光を遮熱して機内温度の上昇を防ぐことはできる。
【０００５】
しかしながら、このような広告表示シートでは、厚さ数μｍの金属蒸着膜の裏面に両面テープが直接貼着されていたので、広告表示シートの表面から広告を観たとき、接着剤層の貼り跡が目立ち易かった。しかも、広告表示シートを長期間使用していると、自動販売機の前面板と広告表示シートの裏面との間に空気中の水分が凝縮した水滴が付着し、蒸着ベース層から金属蒸着膜の一部が剥がれ、これが前面板の表面に付着するブロッキング現象が発生し、前面板を汚すおそれがあった。また、上記のような金属蒸着膜の劣化により、自動販売機本体側からの光の漏れや、当該金属蒸着膜を箔押ししたイメージとして用いる場合には、この箔押し効果を損なうという問題がある。
【考案の概要】
【考案が解決しようとする課題】
【０００６】
本考案は、上記問題点に鑑みてなされたもので、シート表面から観たときに接着剤層の貼り跡が目立ち難く、長期的に自動販売機側からの光の透過を抑えることができ、かつブロッキング現象により剥がれた金属蒸着膜の一部による自動販売機の前面板の汚れを無くすことができ、さらに上記のような金属蒸着膜の劣化がないため、図柄に合わせて箔押ししたイメージを長く醸し出すことのできる、自動販売機用広告表示シートを提供することを目的としている。
【課題を解決するための手段】
【０００７】
本考案の自動販売機用広告表示シートは、自動販売機の前面板に貼り替え自在に貼着された自動販売機用広告シートにおいて、透明な合成樹脂からなり、裏面に広告が印刷された基材層と、透明な合成樹脂からなり、前記基材層の裏面に表面を重ね合わせて積層され、かつ裏面に金属蒸着膜が形成された金属蒸着ベース層と、金属蒸着ベース層の裏面に表面を重ね合わせて積層され、かつ裏面に接着剤層が設けられる接着剤ベース層とを備えたことを特徴とする自動販売機用広告表示シートである。
【０００８】
また、本考案の自動販売機用広告表示シートは、前記金属蒸着膜が、アルミニウム蒸着膜である自動販売機用広告表示シートである。
【０００９】
また、本考案の自動販売機用広告表示シートは、前記基材層の表面に、マスキングフィルムが貼着された自動販売機用広告表示シートである。なお、本考案の自動販売機用広告表示シートでは、このようなマスキングフィルムがあらかじめ貼着されていなくてもよい。
【００１０】
さらに、本考案の自動販売機用広告表示シートは、前記基材層がポリカーボネートシートからなり、前記蒸着ベース層および接着剤ベース層が、それぞれポリエチレンテレフタレートフィルムからなる自動販売機用広告表示シートである。
【００１１】
さらにまた、本考案の自動販売機用広告表示シートは、前記接着剤層を、出荷前または現場で前記接着剤ベース層の裏面に貼着される両面テープとした自動販売機用広告表示シートである。
【００１２】
自動販売機としては、例えば、清涼飲料水、タバコ、酒類、新聞、雑誌などの商品を自動で販売するものである。
自動販売機用広告シートとは、自動販売機の前面板に貼着されて、販売される商品の情報、期間限定のキャンペーン、イベント企画、企業イメージなどを表示したシートである。自動販売機用広告シートの大きさは任意である。また、自動販売機用広告シートが貼着される前面板の領域も任意である。例えば、商品の展示棚を除く（展示棚の一部であれば含んでもよい）前面板の中央部から下部の全域などが挙げられる。
【００１３】
基材層の素材としては、例えば、ポリカーボネート樹脂、ポリエチレンテレフタレート、ポリプロピレンテレフタレート、ポリブチレンテレフタレート等のポリエステル、ポリエチレン、ポリプロピレン等のポリオレフィン、ポリアミド樹脂、アクリル樹脂、ポリ塩化ビニル樹脂、ＡＢＳ樹脂など挙げられるが、透明な熱可塑性合成樹脂であれば特に限定されない。
基材層は、その裏面に印刷された広告が観えるように、透明でなければならない。
【００１４】
基材層には、太陽光線や紫外線の透過による印刷インクの褪色および印刷面の光沢低下を防止するため、ベンゾトリアゾール系、トリアジン系などの各種の紫外線吸収剤を添加してもよい。また、ヒンダートアミン系などの光安定剤を配合することで耐光性を高めることができる。
また、静電気による塵埃付着を防止するため、基材層の原料中に帯電防止剤を練り込むか、基材層の表面に帯電防止剤をコーティングしてもよい。帯電防止剤としては、カチオン系帯電防止剤、アニオン系帯電防止剤、ポリエーテル系帯電防止剤などが挙げられる。
【００１５】
基材層の裏面への広告の印刷方法としては、例えばオフセット印刷、凹版印刷、スクリーン印刷、凸版印刷、グラビア印刷、フレキソ印刷などを採用することができる。
基材層の厚さは、７５〜５００μｍ、好ましくは４００μｍ前後である。７５μｍ未満では、薄すぎて強度が出ず、また両面接着剤層の接着跡が目立つという不都合が生じる。一方、５００μｍを超えると、得られるシートの重量が重過ぎて実用的でなく、また経済的でもない。
【００１６】
金属蒸着ベース層の素材としては、例えば、ポリエチレンテレフタレート、ポリプロピレンテレフタレート、ポリブチレンテレフタレートなどのポリエステルのほか、延伸ポリプロピレンなど、透明な合成樹脂フィルムであれば特に限定されない。
蒸着ベース層の厚さは、通常、１２〜１００μｍ、好ましくは１２〜５０μｍ、さらに好ましくは１２μｍ前後である。
【００１７】
金属蒸着膜の素材としては、例えばアルミニウムなどが採用されるが、そのほかクロム、亜鉛、金、銀、プラチナ、ニッケルなどが挙げられ、これらの金属に限定されるものではない。金属蒸着膜の素材として、アルミニウムを採用すると、得られるシートにおける図柄中に、この部分が鮮やかな銀色として再現されて箔押しの効果が得られる。金属蒸着膜の厚さは、通常、０．０１〜５μｍ程度であるが、この厚みに限定されるものではない。
金属蒸着膜の蒸着方法としては、例えば、抵抗加熱蒸着法、電子ビーム加熱蒸着法、高周波誘導加熱蒸着法、レーザ加熱蒸着法などを採用することができる。蒸着材料としては、上記したように、アルミニウム、クロム、亜鉛、金、銀、プラチナ、ニッケルなどを採用することができる。
【００１８】
接着剤ベース層の素材としては、例えば、ポリエチレンテレフタレート、ポリプロピレンテレフタレート、ポリブチレンテレフタレートなどのポリエステルのほか、延伸ポリプロピレン、無延伸ポリプロピレン、ポリエチレンなどを採用することができる。接着剤ベース層は、例えば白、黒、赤、青、緑などの有色でも、無色（透明または半透明）でもよいが、通常は、透明のものを使用する。
接着剤ベース層の厚さは、１２〜１００μｍ、好ましくは１２μｍ前後である。
【００１９】
接着剤層の素材としては、例えば、ゴム系粘着剤、アクリル系粘着剤、シリコーン系粘着剤、ウレタン系粘着剤などを採用することができる。粘着剤層には、例えば、可塑剤、粘着付与剤、増粘剤、充填剤、老化防止剤、防腐剤、防カビ剤等の各種添加剤を必要に応じ添加してもよい。また、接着剤層は、接着剤ベース層の裏面に接着剤を直接塗布したものの他、両面テープでもよい。
接着剤層の厚さは、両面テープの場合、０．４〜１．２ｍｍ程度であり、特に限定されない。
【００２０】
マスキングフィルムの素材としては、例えば、ポリエチレンや無延伸ポリプロピレンなどの各種熱可塑性合成樹脂よりなるフィルムを基材とし、この基材の接着剤層との接合面に、離型処理が施されたものを用いることができる。
マスキングフィルムの厚さは、通常、４０〜７０μｍ程度である。
【考案の効果】
【００２１】
請求項１に記載の本考案の自動販売機用広告表示シートによれば、自動販売機の前面板に接着剤層を介して貼着され、透明な合成樹脂からなる基材層を通して、販売される商品の情報や期間限定のキャンペーンなどの広告が、購買者や通行人などに観られる。
また、金属蒸着ベース層の金属蒸着膜は、太陽光を遮熱して自動販売機の機内温度の上昇を防止できる。しかも、仮に広告表示シートを展示棚の一部を覆う領域まで延長したときに問題となる、展示棚内の照明が広告表示シートの一部を透過して外へ漏れる光漏れを防止できる。光漏れが発生すれば、使用中の自動販売機用広告表示シート、ひいては自動販売機のデザイン性を低下する。さらに、広告表示シートの表面から、互いに透明な基材層と蒸着ベース層とを通して未印刷領域を観たとき、そこから露出した金属蒸着膜の一部が、ちょうど広告の図柄に合わせて箔押しを施したような効果を与える。
【００２２】
さらに、接着剤層は、接着剤ベース層の裏面に貼着したので、広告表示シートの表面から広告を観たとき、接着剤層（両面テープ）が金属蒸着膜に直接貼着された従来品の場合に比べて、接着剤層の貼り跡が目立ち難い。しかも、広告表示シートの長期間の使用によって、自動販売機の前面板と広告表示シートの裏面との間に、空気中の水分が凝縮して発生した水滴が付着しても、金属蒸着膜は接着剤ベース層により裏面側から被覆されているため、従来のような金属蒸着膜の一部が剥がれて前面板の表面に付着するブロッキング現象が発生せず、前面板を汚すおそれがない。
【００２３】
特に、請求項２に記載の本考案の自動販売機用広告表示シートによれば、金属蒸着膜をアルミニウム蒸着膜としたので、簡単かつ低コストで金属蒸着膜を蒸着ベース層に形成することができる。
【００２４】
また、請求項３に記載の本考案の自動販売機用広告表示シートによれば、基材層の表面にマスキングフィルムを貼着したので、これが剥がされる自動販売機用広告表示シートの使用時まで、基材層の表面をマスキングフィルムにより保護することができる。
【００２５】
さらに、請求項４に記載の本考案の自動販売機用広告表示シートによれば、接着剤層を、出荷前または現場で接着剤ベース層の裏面に貼着される両面テープとしたので、出荷前の工場だけでなく現場においても、接着剤ベース層の裏面に接着剤層を簡単に設けることができる。しかも、自動販売機用広告表示シートを自動販売機の表面板に貼着する作業が容易となる。
【図面の簡単な説明】
【００２６】
【図１】本考案の実施例１に係る自動販売機用広告表示シートの使用状態を示す斜視図である。
【図２】本考案の実施例１に係る自動販売機用広告表示シートの要部拡大断面図である。
【考案を実施するための形態】
【００２７】
以下、図１および図２を参照して、本考案の実施例の自動販売機用広告表示シートを説明する。ここでは、タバコの自動販売機を例にとる。
【実施例】
【００２８】
図１において、１０は本考案の実施例１に係る自動販売機用広告表示シート１０（以下、広告表示シート）である。この広告表示シート１０は、タバコの自動販売機Ａの表面板の下部全域に貼着される略矩形状の大判な合成樹脂シートで、その右上コーナーにはコイン投入口および紙幣投入口用の窓部１０ａが形成されている。また、広告表示シート１０の右下コーナーには釣銭返却口用の窓部１０ｂが形成され、さらにその下部中央部には商品取り出し口用の窓部１０ｃが形成されている。
【００２９】
広告表示シート１０は、透明な合成樹脂からなり、かつ裏面に所定の広告が印刷された印刷層１１ａを有する基材層１１と、透明な合成樹脂フィルムからなり、基材層１１の裏面に表面を重ね合わせて積層され、かつ裏面にアルミニウム蒸着膜（金属蒸着膜）１２が形成された蒸着ベース層１３と、蒸着ベース層１３の裏面に表面を重ね合わせて積層された透明な合成樹脂フィルムからなる接着剤ベース層１４と、接着剤ベース層１４の裏面に貼着された両面テープ（接着剤層）１５とを備えている。
【００３０】
以下、これらの構成部品を具体的に説明する。
基材層１１は、ポリカーボネートからなる厚さ約４００μｍの透明シートである。基材層１１の表面には、ポリエチレンからなる厚さ約５０μｍのマスキングフィルム１６が貼着されている。基材層１１の裏面には、タバコの広告がフルカラーでオフセット印刷された印刷層１１ａが形成されている。
金属蒸着ベース層１３は、ポリエチレンテレフタレートからなる厚さ約１２μｍの透明フィルムである。
金属蒸着膜１２は、厚さ０．０５μｍのアルミニウム蒸着膜で、蒸着ベース層１３の裏面にアルミニウムが蒸着されたものである。
接着剤ベース層１４は、蒸着ベース層１３と同じポリエチレンテレフタレートからなる厚さ約１２μｍの透明フィルムである。
【００３１】
両面テープ１５は、厚さ０．８ｍｍのテープ状のアクリル系接着剤などの接着剤層をベースとし、その表裏面に剥離紙１７が貼着されたものである。例えば、工場において、蒸着ベース層１３の略全ての外周縁部に、表側の剥離紙１７が剥がされた両面テープ１５が貼着されている。
【００３２】
なお、本考案の広告表示シートを作成するには、まず表面にマスキングフィルムが貼着され、裏面に印刷が施された基材層１１を用意する。一方、裏面に金属蒸着膜１２が形成された金属蒸着ベース層１３と接着剤ベース層１４とを金属蒸着膜１２を挟んだ形で、圧着あるいは周知の接着手段を用いて積層する。
次いで、基材層１１の印刷面側と金属蒸着ベース層１３と接着剤ベース層１４が積層されてなる積層フィルムを図２のように、圧着あるいは周知の接着手段を用いて積層し、次いで、使用状態にあわせて、図１のように、型抜きすればよい。なお、この図１に示す広告シート１０は、タバコの宣伝用のため、自動販売機の上部に位置する商品展示棚の複数段のうち、下段部分を覆いつくす大きさとなっている。
【００３３】
広告表示シート１０の使用時には、現場で両面テープ１５の裏側の剥離紙１７を剥がし、広告表示シート１０を自動販売機Ａの表面板の下部全域に貼着する。その後、基材層１１の表面からマスキングフィルム１６を剥がす。これにより、販売される商品の情報や期間限定のキャンペーンなどの広告は、透明な合成樹脂からなる基材層１１を通して、購買者や通行人などに観られる。透明な基材層１１と蒸着ベース層１３とを通して未印刷領域を観たとき、基材層１１の裏面に印刷層１１ａが形成されていない部分では、露出した金属蒸着膜１２の一部が、ちょうど広告の図柄に合わせて箔押しを施したような効果を与えることになる。
【００３４】
また、蒸着ベース層１３の裏面には金属蒸着膜１２を形成したため、太陽光を遮熱して自動販売機Ａの機内温度の上昇を防止できる。しかも、この金属蒸着膜１２により、仮に広告表示シート１０を展示棚の一部を覆う領域まで延長した場合でも、展示棚内の照明が広告表示シート１０の一部を透過して外へ漏れる「光漏れ」を防止することができる。光漏れが発生すれば、使用中の広告表示シート１０、ひいては自動販売機Ａのデザイン性が低下する。
【００３５】
さらに、両面テープ１５は、従来品の場合のようにアルミニウム蒸着膜（金属蒸着膜）に貼着するのではなく、接着剤ベース層１４の裏面に貼着したため、広告表示シート１０の表面から広告を観たとき、従来品の場合に比べて、接着剤層の貼り跡が目立ち難い。しかも、広告表示シート１０は長期間の使用によって自動販売機Ａの前面板と広告表示シート１０の裏面との間に、空気中の水分が凝縮して発生した水滴が付着しても、金属蒸着膜１２はその裏側から接着剤ベース層１４により被覆されているので、従来のような金属蒸着膜１２の一部が剥がれて前面板の表面に付着するブロッキング現象が発生せず、前面板を汚すおそれがない。
【００３６】
また、金属蒸着膜１２をアルミニウム蒸着膜としたので、簡単かつ低コストで金属蒸着膜１２を蒸着ベース層１３に形成することができる。
さらに、基材層１１の表面にマスキングフィルム１６を貼着したので、広告表示シート１０の使用時まで、基材層１１の表面をマスキングフィルム１６により保護することができる。
さらにまた、接着剤層として両面テープ１５を採用したので、広告表示シート１０を自動販売機Ａの表面板に貼着する作業が容易となり、かつこのように出荷前の工場だけでなく現場においても、接着剤ベース層１４の裏面に接着剤層を簡単に設けることができる。
【産業上の利用可能性】
【００３７】
本考案は、タバコ、日本酒、ビールなどの酒類、ジュース、コーラ、お茶などの清涼飲料水、新聞、本などの新聞・書籍類などの自動販売機用広告表示シートとして有用である。
【符号の説明】
【００３８】
１０    自動販売機用広告シート
１１    基材層
１１ａ  印刷層
１２    金属蒸着膜
１３    蒸着ベース層
１５    両面テープ（接着剤層）
１４    接着剤ベース層
１６    マスキングフィルム
Ａ      自動販売機
【図１】
0003169434.tif 000003
【図２】
0003169434.tif 000004